(57)【要約】      （修正有）【課題】操作性・演奏のし易さを向上するために、三味線の撥の重量バランスを簡単に変更することができる三味線の撥を提供する。【解決手段】三味線の撥１００は、使用時に弦をはじく先端部を備える本体部材１０と、弦と反対側の本体部材１０の一の面に配置される外側部材２０と、弦に対面する本体部材１０の他の面に配置される内側部材３０と、外側部材２０および内側部材３０を本体部材１０に取り付ける取付部材と、重量バランスを変更する重り部材５０と、を有し、内側部材３０は略凹形状の内側重り保持部３１を備え、重り部材５０は内側重り保持部３１で保持される。【選択図】図３
0003235211.tif 000002
【実用新案登録請求の範囲】
【請求項１】
三味線の弦をはじいて鳴らす三味線の撥であって、
使用時に前記弦をはじく先端部を備える本体部材と、
使用時に前記弦と反対側の前記本体部材の一の面に配置され、使用者が把持する外側部材と、
使用時に前記弦に対面する前記本体部材の他の面に配置され、前記使用者が把持する内側部材と、
前記外側部材および前記内側部材を前記本体部材に取り付ける取付部材と、
重量バランスを変更する重り部材と、
を有し、
前記内側部材は、略凹形状の内側重り保持部を備え、
前記重り部材は、前記内側重り保持部で保持される、
ことを特徴とする三味線の撥。
【請求項２】
前記外側部材は、略凹形状の外側重り保持部を備え、
前記重り部材は、前記外側重り保持部で保持される、
ことを特徴とする、請求項１に記載の三味線の撥。
【請求項３】
前記内側部材は、複数の前記内側重り保持部を備え、
前記外側部材は、複数の前記外側重り保持部を備え、
複数の前記重り部材は、前記使用者の所望の数および位置で、複数の前記外側重り保持部および／または複数の前記外側重り保持部に配置される、
ことを特徴とする、請求項２に記載の三味線の撥。
【考案の詳細な説明】
【技術分野】
【０００１】
本考案は、三味線などの弦をはじいて鳴らす三味線の撥である。本考案は、重量バランスを変更することができる三味線の撥に関するものであってもよい。
【背景技術】
【０００２】
三味線などの弦をはじいて鳴らす、へら状の道具である三味線の撥が知られている。特許文献１では、三味線の撥において、三味線の撥の表側の片方先端部に、深く引っ掛けた糸でも撥先に滑らせる突起物のガイドを設けたことを特徴とする三味線の撥に関する技術を開示している。特許文献２では、撥の本体中途より撥先まで適度の厚みを設け、撥先端に上傾斜面ならびに下傾斜面を設け、先端部を鋭角状にすることを特徴とする三味線の撥に関する技術を開示している。特許文献３では、三味線の撥の握り部分にマッチ等を入れ得る穴洞を形成し、マッチを入れ得る曳出等を構成してなり、マッチ等使用後は其の穴洞を花器等にも利用出来得る様に構造し且つ表面に文字図柄等を表わしてなるものに関する技術を開示している。
【先行技術文献】
【特許文献】
【０００３】
【特許文献１】特開２００７−２９３２２５号公報
【特許文献２】特開２００６−７９０３５号公報
【特許文献３】公開実用新案公報昭６１−１９４号公報
【考案の概要】
【考案が解決しようとする課題】
【０００４】
三味線の撥は、重量バランスが製造時に鉛などを内蔵して設定されており、自分で変更することができない。特許文献１乃至特許文献３には、三味線の撥の重量バランスを自分で変更する方法の記載がない。操作性・演奏のし易さを向上するために、自分の演奏形式に合わせて、三味線の撥の重量バランスを簡単に変更することができる三味線の撥が求められている。
【０００５】
本考案は、操作性・演奏のし易さを向上するために、三味線の撥の重量バランスを簡単に変更することができる三味線の撥を提供することを目的とする。
【課題を解決するための手段】
【０００６】
上記課題を解決するために、本考案の一つの実施形態は、三味線の弦をはじいて鳴らす三味線の撥であって、使用時に前記弦をはじく先端部を備える本体部材と、使用時に前記弦と反対側の前記本体部材の一の面に配置され、使用者が把持する外側部材と、使用時に前記弦に対面する前記本体部材の他の面に配置され、前記使用者が把持する内側部材と、前記外側部材および前記内側部材を前記本体部材に取り付ける取付部材と、重量バランスを変更する重り部材と、を有し、前記内側部材は、略凹形状の内側重り保持部を備え、前記重り部材は、前記内側重り保持部で保持される、ことを特徴とする三味線の撥を提供する。
【０００７】
本考案の他の実施形態は、上記の三味線の撥であって、前記外側部材は、略凹形状の外側重り保持部を備え、前記重り部材は、前記外側重り保持部で保持される、ことを特徴とする三味線の撥であってもよい。
【０００８】
本考案の他の実施形態は、上記のいずれかの三味線の撥であって、前記内側部材は、複数の前記内側重り保持部を備え、前記外側部材は、複数の前記外側重り保持部を備え、複数の前記重り部材は、前記使用者の所望の数および位置で、複数の前記外側重り保持部および／または複数の前記外側重り保持部に配置される、ことを特徴とする三味線の撥であってもよい。
【考案の効果】
【０００９】
本考案に係る三味線の撥によれば、演奏形式に合わせて、操作性・演奏のし易さを向上するために、三味線の撥の重量バランスを簡単に変更することができる。また、本考案に係る三味線の撥によれば、複数の重り部材を用いて、演奏者の演奏に合った重量バランスを簡単に変更することができる。
【図面の簡単な説明】
【００１０】
【図１】本考案の実施形態に係る三味線の撥の一例を説明する平面説明図である。
【図２】本考案の実施形態に係る三味線の撥の一例を説明する斜視説明図である。
【図３】本考案の実施形態に係る三味線の撥の一例を説明する分解説明図である。
【考案を実施するための形態】
【００１１】
実施形態に係る三味線の撥の例を用いて、本考案を説明する。なお、本考案は、以後に説明する三味線の撥以外でも、楽器等を演奏する道具（もの、装置、部品、部材、システムなど）であれば、いずれのものにも用いることができる。なお、三味線の撥の大きさは、とくに限定されず、対象者（使用者、利用者など）に応じて、流派や使用目的に基づいて、設計、実験、計算などで予め定められる大きさとすることができる。また、三味線の撥の材質は、とくに限定されず、黄楊(つげ)製、象牙、水牛の角などであってもよい。
【００１２】
下記にて、各構成を具体的に説明する。
【００１３】
図１乃至図３を用いて、本考案の実施形態に係る三味線の撥の構成を説明する。ここで、図１は、本考案の実施形態に係る三味線の撥１００の一例を説明する平面説明図である。図２は、本考案の実施形態に係る三味線の撥１００の一例を説明する斜視説明図である。図３は、本考案の実施形態に係る三味線の撥１００の一例を説明する分解説明図である。なお、図１等に示す三味線の撥の構成等は一例であり、本考案は図１等に示す三味線の撥等に限定されるものではない。
【００１４】
図１に示すように、本考案に係る三味線の撥１００は、三味線の弦をはじいて鳴らす、略へら状の道具である。本考案に係る三味線の撥１００は、使用時に弦をはじく先端部を備える本体部材１０と、使用時に弦と反対側の本体部材１０の一の面に配置され、使用者が把持する外側部材２０と、使用時に弦に対面する本体部材１０の他の面に配置され、使用者が把持する内側部材３０と、外側部材２０および内側部材３０を本体部材１０に取り付ける取付部材４０（４１、４２）と、重量バランスを変更する重り部材（図３の５０）と、を有する。本考案に係る三味線の撥１００は、重り部材を所望の位置および数で配置して、撥の重量バランスを簡単に変更することができる。これにより、本考案に係る三味線の撥１００は、演奏形式に合わせて、操作性・演奏のし易さを向上することができる。
【００１５】
本体部材１０は、図１乃至図３に示すように、本実施形態では、使用時に弦をはじく先端部を備える略略へら形状のものである。本体部材１０は、取付部材４０を用いて、外側部材２０および内側部材３０を取り付けられる。
【００１６】
なお、本考案に係る本体部材１０の形状、大きさおよび厚さは、使用時の状態（演奏に合わせて）に応じて、設計、実験、計算などで予め定められる形状、大きさおよび厚さとすることができる。また、本考案に係る本体部材１０の材質は、とくに限定されず、設計、実験、計算などで予め定められる材質とすることができる。本考案に係る本体部材１０の材質は、透明性、耐熱性、耐衝撃性に優れた樹脂、合成樹脂などを用いることができる。
【００１７】
外側部材２０は、図１乃至図３に示すように、本実施形態では、使用時に弦と反対側の本体部材１０の一の面に配置され、使用者が把持するものである。外側部材２０は、取付部材４０を用いて、本体部材１０に取り付けられる。
【００１８】
なお、本考案に係る外側部材２０の形状、大きさおよび厚さは、使用時の状態（演奏に合わせて）に応じて、設計、実験、計算などで予め定められる形状、大きさおよび厚さとすることができる。また、本考案に係る外側部材２０の材質は、とくに限定されず、設計、実験、計算などで予め定められる材質とすることができる。本考案に係る外側部材２０の材質は、透明性、耐熱性、耐衝撃性に優れた樹脂、合成樹脂などを用いることができる。
【００１９】
内側部材３０は、図１乃至図３に示すように、本実施形態では、使用時に弦と対面する本体部材１０の他の面に配置され、使用者が把持するものである。内側部材３０は、取付部材４０を用いて、本体部材１０に取り付けられる。
【００２０】
なお、本考案に係る内側部材３０の形状、大きさおよび厚さは、使用時の状態（演奏に合わせて）に応じて、設計、実験、計算などで予め定められる形状、大きさおよび厚さとすることができる。また、本考案に係る内側部材３０の材質は、とくに限定されず、設計、実験、計算などで予め定められる材質とすることができる。本考案に係る内側部材３０の材質は、透明性、耐熱性、耐衝撃性に優れた樹脂、合成樹脂などを用いることができる。
【００２１】
内側部材３０は、図３に示すように、本実施形態では、略凹形状の内側重り保持部３１をさらに備える。これにより、内側部材３０は、操作性・演奏のし易さを向上するために、重り部材５０を所望の位置および数で内側重り保持部３１に配置して、撥の重量バランスを変更する。また、外側部材２０は、略凹形状の外側重り保持部をさらに備えてもよい。これにより、外側部材２０は、操作性・演奏のし易さを向上するために、重り部材５０を所望の位置および数で外側重り保持部に配置して、撥の重量バランスを変更する。なお、なお、本考案に係る内側重り保持部３１および外側重り保持部の形状は、使用時の状態（演奏に合わせて）に応じて、設計、実験、計算などで予め定められる形状とすることができる。
【００２２】
取付部材４０（４１、４２）は、図１および図２に示すように、本実施形態では、外側部材２０および内側部材３０を本体部材１０に取り付けるものである。なお、本考案に係る取付部材４０が外側部材２０および内側部材３０を本体部材１０に取り付ける方法は、公知の技術を利用することができる。取付部材４０は、ネジなどを使って、取り付けてもよい。
【００２３】
重り部材５０は、図３に示すように、撥の重量バランスを変更するものである。重り部材５０は、本実施形態では、内側部材３０の略凹形状の内側重り保持部３１に配置され、保持される。重り部材は、外側部材の略凹形状の外側重り保持部（不図示）に配置され、保持されてもよい。なお、本考案に係る重り部材５０の形状、位置および重さは、とくに限定されず、使用者の所望の形状、位置および数とすることができる。本考案に係る重り部材５０の形状、位置および重さは、設計、実験、計算などで予め定められる形状、位置および重さとすることができる。また、本考案に係る重り部材５０の材質は、とくに限定されない。
【００２４】
以上のとおり、本考案に係る三味線の撥によれば、演奏形式に合わせて、操作性・演奏のし易さを向上するために、三味線の撥の重量バランスを簡単に変更することができる。また、本考案に係る三味線の撥によれば、複数の重り部材を用いて、演奏者の演奏に合った重量バランスを簡単に変更することができる。また、本考案に係る三味線の撥によれば、三味線の撥の重量バランスを簡単に変更することができるので、体への負担を低減することができる。また、本考案に係る三味線の撥によれば、三味線の撥の重量バランスを簡単に変更することができるので、日常的に長時間使用した場合でも、体への負担を低減することができる。また、本考案に係る三味線の撥によれば、構造が簡単で、製造コストを低減することができる。
【００２５】
また、今までの三味線の撥は分解することができず、中の重りの重量を変更ができない場合があったが、本考案に係る三味線の撥によれば、三味線の撥の重量バランスを簡単に変更することができ、自分に合わせたバランスにすることができ、疲れにくい三味線の撥にすることができる。また、本考案に係る三味線の撥によれば、三味線の撥の重量バランスを簡単に変更することができるので、高齢な人でも重量を軽くして、演奏することができる。また、本考案に係る三味線の撥によれば、三味線の撥の重量バランスを簡単に変更することができるので、従前の三味線の撥のサイズを変更せず、重量変更の機能を付加することができ、デザイン性も高い。また、本考案に係る三味線の撥によれば、本考案は三味線の撥を簡単に分解でき、重量変更できるので、世界標準となり得る。
【００２６】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２７】
１００  ：  三味線の撥
１０  ：  本体部材
２０  ：  外側部材
３０  ：  内側部材
３１  ：  内側重り保持部
４０，４１，４２  ：  取付部材
５０  ：  重り部材
【図１】
0003235211.tif 000003
【図２】
0003235211.tif 000004
【図３】
0003235211.tif 000005